(57)【要約】【課題】本発明は、効率的且つ効果的な宣伝を行うことができる広告情報提供用サーバなどを提供する。【解決手段】広告情報提供用サーバ２は、視聴者側の端末装置３と電気通信回線５を介して接続可能に設けられており、端末装置３からの送信要求に応じ、広告情報記憶部１４に格納された広告情報を端末装置３に送信して画面表示させる広告提供部１９と、広告提供部１９による広告情報の画面表示終了後、ゲーム情報記憶部１５に格納されたゲーム情報を端末装置３に送信して画面表示させるゲーム提供部２０と、ゲーム結果が所定の結果となった場合に特典を付与すべき対象者に関する特典付与先情報を記憶する特典付与先情報記憶部１８と、ゲーム結果を認識して所定の結果になったと判断すると、特典付与対象者たる視聴者によって端末装置３から入力される特典付与先情報を受信して特典付与先情報記憶部１８に格納するゲーム結果確認部２３とを備える。【選択図】図１
2007305020.tif 000002
【特許請求の範囲】
【請求項１】
視聴者側に配設された少なくとも１台の端末装置と電気通信回線を介して接続可能に設けられ、前記端末装置に広告に関する情報を送信して前記視聴者に提供する広告情報提供用のサーバであって、
送信対象となる複数の前記広告情報を記憶した広告情報記憶部と、
前記端末装置からの送信要求に応じ、前記広告情報記憶部に格納された各広告情報の内、送信要求のあった広告情報を該端末装置に送信して画面表示させ、広告を前記視聴者に提供する広告提供部と、
ゲームに関するゲーム情報を記憶したゲーム情報記憶部と、
前記広告提供部による広告情報の画面表示終了後、前記ゲーム情報記憶部に格納されたゲーム情報を前記端末装置に送信して画面表示させ、該ゲーム情報に係るゲームを前記視聴者に提供するゲーム提供部と、
前記ゲーム結果が予め定められた結果となった場合に特典を付与すべき対象者に関する特典付与先情報を記憶する特典付与先情報記憶部と、
前記ゲームの結果を認識して予め定められた結果となっているか否かを確認し、予め定められた結果になっていると判断した場合には、前記対象者たる視聴者が前記特典付与先情報を入力するための入力情報を前記端末装置に送信して画面表示させるとともに、前記端末装置から入力される前記特典付与先情報を受信して前記特典付与先情報記憶部に格納するゲーム結果確認部とを備えてなることを特徴とする広告情報提供用サーバ。
【請求項２】
前記広告提供部は、前記広告情報を前記端末装置に送信するに当たり、前記広告情報記憶部に格納された各広告情報の中から前記視聴者が特定の広告情報を選択するための選択情報を該端末装置に送信して画面表示させる処理と、前記端末装置から入力される、選択された広告情報を特定するための情報を受信し、受信情報に対応した広告情報を該端末装置に送信して画面表示させる処理とを行うように構成されてなることを特徴とする請求項１記載の広告情報提供用サーバ。
【請求項３】
前記広告提供部は、前記広告情報を前記端末装置に送信するに当たり、前記端末装置から入力される、前記視聴者のプロフィールに関する情報を受信する処理と、受信したプロフィール情報を基に、該視聴者の関心があると推測される一以上の広告情報を、前記広告情報記憶部に格納された各広告情報の中から抽出し、抽出した広告情報の中から前記視聴者が特定の広告情報を選択するための選択情報を該端末装置に送信して画面表示させる処理と、前記端末装置から入力される、選択された広告情報を特定するための情報を受信し、受信情報に対応した広告情報を該端末装置に送信して画面表示させる処理とを行うように構成されてなることを特徴とする請求項１記載の広告情報提供用サーバ。
【請求項４】
前記広告情報記憶部には、前記各広告情報がその広告対象の属するジャンルと関連付けられて格納され、
前記広告提供部は、前記広告情報を前記端末装置に送信するに当たり、前記端末装置から入力される、前記視聴者のプロフィールに関する情報を受信する処理と、受信したプロフィール情報を基に、該視聴者の関心があると推測される一以上のジャンルを、前記広告情報記憶部に格納された各ジャンルの中から抽出し、抽出したジャンルの中から前記視聴者が特定のジャンルを選択するための選択情報を該端末装置に送信して画面表示させる処理と、前記端末装置から入力される、選択されたジャンルを特定するための情報を受信し、受信情報に対応したジャンルの広告情報の中から前記視聴者が特定の広告情報を選択するための選択情報を該端末装置に送信して画面表示させる処理と、前記端末装置から入力される、選択された広告情報を特定するための情報を受信し、受信情報に対応した広告情報を該端末装置に送信して画面表示させる処理とを行うように構成されてなることを特徴とする請求項１記載の広告情報提供用サーバ。
【請求項５】
前記広告提供部によって前記端末装置に送信される、前記視聴者が特定の広告情報を選択するための選択情報は、前記広告情報の一覧が表示され且つ一覧表示される広告情報の中から前記視聴者が特定の広告情報を選択するための選択画面であって、一覧表示された一部の広告情報が他とは異なる表示形式で表示される選択画面についての情報であることを特徴とする請求項２乃至４記載のいずれかの広告情報提供用サーバ。
【請求項６】
前記広告情報記憶部に格納された各広告情報の前記端末装置への送信履歴に関する情報であって、前記端末装置への送信回数を少なくとも含んだ送信履歴情報を該各広告情報毎に記憶する送信履歴情報記憶部と、
前記広告提供部における処理を監視し、該広告提供部によって前記広告情報が前記端末装置に送信されると、送信された広告情報についての送信履歴情報を更新する送信履歴情報管理部とを更に備えてなることを特徴とする請求項１乃至５記載のいずれかの広告情報提供用サーバ。
【請求項７】
前記広告提供部は、前記広告情報を前記端末装置に送信するに当たり、まず、前記端末装置から入力される、前記視聴者のプロフィールに関する情報を受信した後、前記端末装置からの送信要求を受け付け、送信要求のあった広告情報を該端末装置に送信して画面表示させるように構成され、
前記広告情報提供用サーバは、前記広告情報記憶部に格納された各広告情報の前記端末装置への送信履歴に関する情報であって、視聴実績のある視聴者のプロフィール情報を少なくとも含んだ送信履歴情報を該各広告情報毎に記憶する送信履歴情報記憶部と、
前記広告提供部における処理を監視し、該広告提供部によって前記広告情報が前記端末装置に送信されると、送信された広告情報についての送信履歴情報を、該広告提供部によって受信されたプロフィール情報を基に更新する送信履歴情報管理部とを更に備えてなることを特徴とする請求項１乃至５記載のいずれかの広告情報提供用サーバ。
【請求項８】
視聴者側に配設された少なくとも１台の端末装置と電気通信回線を介して接続可能に設けられ、前記端末装置に広告に関する情報を送信して前記視聴者に提供する広告情報提供用のサーバであって、
送信対象となる複数の前記広告情報を記憶した広告情報記憶部と、
前記視聴者毎に設定され、該視聴者の個人情報と該視聴者を識別するための識別情報とを含む登録情報を記憶した登録情報記憶部と、
前記端末装置から入力される前記識別情報を受信して、受信した識別情報を基に該識別情報が前記登録情報記憶部に格納されているか否かを確認し、格納されていると判断した場合には、前記端末装置からの送信要求に応じ、前記広告情報記憶部に格納された各広告情報の内、送信要求のあった広告情報を該端末装置に送信して画面表示させ、広告を前記視聴者に提供する広告提供部と、
ゲームに関するゲーム情報を記憶したゲーム情報記憶部と、
前記広告提供部による広告情報の画面表示終了後、前記ゲーム情報記憶部に格納されたゲーム情報を前記端末装置に送信して画面表示させ、該ゲーム情報に係るゲームを前記視聴者に提供するゲーム提供部と、
前記ゲーム結果が予め定められた結果となった場合に特典を付与すべき対象者に関する特典付与先情報を記憶する特典付与先情報記憶部と、
前記ゲームの結果を認識して予め定められた結果となっているか否かを確認し、予め定められた結果になっていると判断した場合には、前記広告提供部によって受信された識別情報、及び／又は、該識別情報を基に、前記登録情報記憶部に格納された登録情報を参照することで認識される、該識別情報に対応した視聴者の個人情報の一部若しくは全部を、前記特典付与先情報として前記特典付与先情報記憶部に格納するゲーム結果確認部とを備えてなることを特徴とする広告情報提供用サーバ。
【請求項９】
前記広告提供部は、前記広告情報を前記端末装置に送信するに当たり、前記広告情報記憶部に格納された各広告情報の中から前記視聴者が特定の広告情報を選択するための選択情報を該端末装置に送信して画面表示させる処理と、前記端末装置から入力される、選択された広告情報を特定するための情報を受信し、受信情報に対応した広告情報を該端末装置に送信して画面表示させる処理とを行うように構成されてなることを特徴とする請求項８記載の広告情報提供用サーバ。
【請求項１０】
前記広告提供部は、前記広告情報を前記端末装置に送信するに当たり、前記受信した識別情報を基に、前記登録情報記憶部に格納された登録情報を参照して、該識別情報に対応した視聴者の個人情報を認識する処理と、認識した個人情報を基に、該視聴者の関心があると推測される一以上の広告情報を、前記広告情報記憶部に格納された各広告情報の中から抽出し、抽出した広告情報の中から前記視聴者が特定の広告情報を選択するための選択情報を該端末装置に送信して画面表示させる処理と、前記端末装置から入力される、選択された広告情報を特定するための情報を受信し、受信情報に対応した広告情報を該端末装置に送信して画面表示させる処理とを行うように構成されてなることを特徴とする請求項８記載の広告情報提供用サーバ。
【請求項１１】
前記端末装置から送信要求のあった広告情報を特定するための情報を少なくとも含み、前記視聴者の識別情報毎に設定された送信要求履歴情報を記憶する送信要求履歴情報記憶部と、
前記広告提供部における処理を監視し、該広告提供部によって前記広告情報の送信要求が受け付けられると、受け付けられた送信要求に係る広告情報及び前記広告提供部によって受信された識別情報を基に、該識別情報についての送信要求履歴情報を更新する送信要求履歴情報管理部とを更に備えてなり、
前記広告提供部は、前記広告情報を前記端末装置に送信するに当たり、前記受信した識別情報を基に、前記送信要求履歴情報記憶部に格納された送信要求履歴情報を参照して、以前に送信要求の対象とされた一以上の広告情報を認識し、認識した広告情報の中から前記視聴者が特定の広告情報を選択するための選択情報を前記端末装置に送信して画面表示させる処理と、前記端末装置から入力される、選択された広告情報を特定するための情報を受信し、受信情報に対応した広告情報を該端末装置に送信して画面表示させる処理とを行うように構成されてなることを特徴とする請求項８記載の広告情報提供用サーバ。
【請求項１２】
前記広告情報記憶部には、前記各広告情報がその広告対象の属するジャンルと関連付けられて格納され、
前記広告提供部は、前記広告情報を前記端末装置に送信するに当たり、前記受信した識別情報を基に、前記登録情報記憶部に格納された登録情報を参照して、該識別情報に対応した視聴者の個人情報を認識する処理と、認識した個人情報を基に、該視聴者の関心があると推測される一以上のジャンルを、前記広告情報記憶部に格納された各ジャンルの中から抽出し、抽出したジャンルの中から前記視聴者が特定のジャンルを選択するための選択情報を該端末装置に送信して画面表示させる処理と、前記端末装置から入力される、選択されたジャンルを特定するための情報を受信し、受信情報に対応したジャンルの広告情報の中から前記視聴者が特定の広告情報を選択するための選択情報を該端末装置に送信して画面表示させる処理と、前記端末装置から入力される、選択された広告情報を特定するための情報を受信し、受信情報に対応した広告情報を該端末装置に送信して画面表示させる処理とを行うように構成されてなることを特徴とする請求項８記載の広告情報提供用サーバ。
【請求項１３】
前記広告提供部によって前記端末装置に送信される、前記視聴者が特定の広告情報を選択するための選択情報は、前記広告情報の一覧が表示され且つ一覧表示される広告情報の中から前記視聴者が特定の広告情報を選択するための選択画面であって、一覧表示された一部の広告情報が他とは異なる表示形式で表示される選択画面についての情報であることを特徴とする請求項９乃至１２記載のいずれかの広告情報提供用サーバ。
【請求項１４】
前記広告情報記憶部に格納された各広告情報の前記端末装置への送信履歴に関する情報であって、前記端末装置への送信回数を少なくとも含んだ送信履歴情報を該各広告情報毎に記憶する送信履歴情報記憶部と、
前記広告提供部における処理を監視し、該広告提供部によって前記広告情報が前記端末装置に送信されると、送信された広告情報についての送信履歴情報を更新する送信履歴情報管理部とを更に備えてなることを特徴とする請求項８乃至１３記載のいずれかの広告情報提供用サーバ。
【請求項１５】
前記広告情報記憶部に格納された各広告情報の前記端末装置への送信履歴に関する情報であって、視聴実績のある視聴者の個人情報の一部若しくは全部を少なくとも含んだ送信履歴情報を該各広告情報毎に記憶する送信履歴情報記憶部と、
前記広告提供部における処理を監視し、該広告提供部によって前記広告情報が前記端末装置に送信されると、前記広告提供部によって受信された識別情報を基に、前記登録情報記憶部に格納された登録情報を参照して、該識別情報に対応した視聴者の個人情報を認識し、認識した個人情報を基に、前記送信された広告情報についての送信履歴情報を更新する送信履歴情報管理部とを更に備えてなることを特徴とする請求項８乃至１３記載のいずれかの広告情報提供用サーバ。
【請求項１６】
前記ゲーム情報記憶部には、複数の前記ゲーム情報が格納され、
前記ゲーム提供部は、前記ゲーム情報記憶部に格納された各ゲーム情報の内のいずれか一つを前記端末装置に送信して画面表示させるように構成されてなることを特徴とする請求項１乃至１５記載のいずれかの広告情報提供用サーバ。
【請求項１７】
前記ゲーム情報記憶部には、複数の前記ゲーム情報が、前記広告情報記憶部に格納された各広告情報とそれぞれ関連付けられて格納され、
前記ゲーム提供部は、前記ゲーム情報記憶部に格納された各ゲーム情報の内、前記広告提供部によって前記端末装置に送信された広告情報に対応するゲーム情報を前記端末装置に送信して画面表示させるように構成されてなることを特徴とする請求項１乃至１５記載のいずれかの広告情報提供用サーバ。
【請求項１８】
前記特典付与先情報記憶部には、前記特典付与先情報が、前記広告情報記憶部に格納された広告情報と関連付けられて格納され、
前記ゲーム結果確認部は、前記特典付与先情報を前記特典付与先情報記憶部に格納するに当たり、前記広告提供部によって前記端末装置に送信された広告情報と、前記特典付与先情報とを関連付けて前記特典付与先情報記憶部に格納するように構成されてなることを特徴とする請求項１乃至１７記載のいずれかの広告情報提供用サーバ。
【請求項１９】
視聴者側に配設された少なくとも１台の端末装置と、前記端末装置に広告に関する情報を送信して前記視聴者に提供する広告情報提供用のサーバとが電気通信回線を介し接続されて構成された広告情報提供システムであって、
前記広告情報提供用サーバは、前記請求項１乃至１８記載のいずれかの広告情報提供用サーバからなることを特徴とする広告情報提供システム。
【発明の詳細な説明】
【技術分野】
【０００１】
本発明は、電気通信回線を介して視聴者側の端末装置と接続可能に設けられ、当該端末装置に広告に関する情報を送信して視聴者に提供する広告情報提供用サーバ、及びこれを備えた広告情報提供システムに関する。
【背景技術】
【０００２】
従来、広告に関する情報などを提供可能なシステムとして、例えば、特開２００１−１８８７３０号公報に開示されたものが知られており、この情報提供システムは、視聴者側に配設された端末装置と、当該端末装置に各種の情報を送信して視聴者に提供する情報提供用サーバとが、インターネットを介し相互に接続されて構成される。
【０００３】
前記情報提供用サーバは、インターネットを介して端末装置からアクセスがあると、ホームページを端末装置に送信してそのディスプレイ上に表示させる処理を行い、また、このホームページを介して各種情報の閲覧要求を受け付けると、当該要求に係る情報を含んだＷｅｂページを端末装置に送信してそのディスプレイ上に表示させる処理を行う。
【０００４】
前記ホームページには、当該ホームページを管理する管理者自身についての情報や、広告提供者の広告が表示されるようになっており、視聴者によって広告表示部分がクリックされると、当該情報提供用サーバ又は他の情報提供用サーバから、広告提供者の管理するホームページが端末装置に送信されて画面表示される。
【０００５】
このように、不特定多数の視聴者がアクセス可能な、ある管理者のホームページに広告提供者の広告が表示されることで、視聴者が、当該広告提供者自身及びその商品やサービスに触れる機会が多くなる。
【０００６】
【特許文献１】特開２００１−１８８７３０号公報
【発明の開示】
【発明が解決しようとする課題】
【０００７】
しかしながら、上記従来の情報提供システムでは、広告提供者自身及びその商品やサービスによほど関心の持っている視聴者しか、ある管理者のホームページから広告提供者のホームページにアクセスしないという問題や、関心のない視聴者に対して、広告提供者のホームページにアクセスしようという気持ちにさせるものがないという問題があり、より多くの視聴者に対してより効果的な宣伝をすることができなかった。
【０００８】
また、広告提供者は、自身のホームページに視聴者を呼び込まなければ、当該視聴者に対して宣伝をすることができないという問題、視聴者は、様々な情報（広告）を入手したいと考えている場合に、その情報を提供する提供者が異なれば、各提供者のホームページにアクセスしなければならないという問題もあり、このことも効率的且つ効果的な宣伝を行うことができない原因となっている。
【０００９】
本発明は、以上の実情に鑑みなされたものであって、効率的且つ効果的な宣伝を行うことができる広告情報提供用サーバ及びこれを備えた広告情報提供システムの提供をその目的とする。
【課題を解決するための手段】
【００１０】
上記目的を達成するための本発明は、
視聴者側に配設された少なくとも１台の端末装置と電気通信回線を介して接続可能に設けられ、前記端末装置に広告に関する情報を送信して前記視聴者に提供する広告情報提供用のサーバであって、
送信対象となる複数の前記広告情報を記憶した広告情報記憶部と、
前記端末装置からの送信要求に応じ、前記広告情報記憶部に格納された各広告情報の内、送信要求のあった広告情報を該端末装置に送信して画面表示させ、広告を前記視聴者に提供する広告提供部と、
ゲームに関するゲーム情報を記憶したゲーム情報記憶部と、
前記広告提供部による広告情報の画面表示終了後、前記ゲーム情報記憶部に格納されたゲーム情報を前記端末装置に送信して画面表示させ、該ゲーム情報に係るゲームを前記視聴者に提供するゲーム提供部と、
前記ゲーム結果が予め定められた結果となった場合に特典を付与すべき対象者に関する特典付与先情報を記憶する特典付与先情報記憶部と、
前記ゲームの結果を認識して予め定められた結果となっているか否かを確認し、予め定められた結果になっていると判断した場合には、前記対象者たる視聴者が前記特典付与先情報を入力するための入力情報を前記端末装置に送信して画面表示させるとともに、前記端末装置から入力される前記特典付与先情報を受信して前記特典付与先情報記憶部に格納するゲーム結果確認部とを備えてなることを特徴とする広告情報提供用サーバに係る。
【００１１】
この広告情報提供用サーバによれば、まず、広告提供部により、端末装置からの送信要求が受け付けられると、広告情報記憶部に格納された各広告情報の内、送信要求のあった広告情報が当該端末装置に送信されて画面表示され、広告が視聴者に提供される。そして、広告提供部による広告情報の画面表示が終了すると、ゲーム提供部により、ゲーム情報記憶部に格納されたゲーム情報が当該端末装置に送信されて画面表示され、当該ゲーム情報に係るゲームが視聴者に提供される。
【００１２】
ゲーム提供部によるゲームの提供が終了すると、ゲーム結果確認部により、ゲーム結果が認識されて所定の結果となったか否かが確認され、所定の結果になったと判断された場合には、視聴者が特典付与先情報を入力するための入力情報が端末装置に送信されて画面表示されるとともに、当該端末装置から入力される特典付与先情報が受信されて特典付与先情報記憶部に格納される。そして、この特典付与先情報記憶部に特典付与先情報が格納された視聴者には、視聴した広告の広告提供者などから適宜特典が付与される。
【００１３】
尚、前記広告情報記憶部には、例えば、広告提供者自身、広告提供者の商品やサービスなどを広告対象とした広告に関する情報が予め格納され、前記ゲーム情報記憶部には、例えば、絵柄を揃える、スロットマシンに類似したゲームや、球がどの目に止まるかを当てる、ルーレットに類似したゲームなどに関する情報が予め格納されている。また、前記所定の結果とは、スロットマシンに類似したゲームの場合は、絵柄が揃ったときのことであり、ルーレットに類似したゲームの場合は、球が止まる目を当てた場合や球が所定の目に止まったときのことである。また、前記特典は、例えば、各種の商品やサービスなどとすることができ、特に限定されるものではない。
【００１４】
このように、本発明に係る広告情報提供用サーバによれば、視聴者に広告を提供した後、特典を付けてゲームを提供するように構成されており、広告提供者自身、広告提供者の商品やサービスといった広告対象に関心のある視聴者はもちろんのこと、関心のない視聴者であっても、特典を目当てにした視聴者に対して広告を提供することができるので、より幅広い視聴者に対して前記広告対象を認知させることができ、より効率的且つ効果的な宣伝を行うことができる。
【００１５】
また、各広告提供者は、視聴者に対して宣伝したい情報を広告情報として当該広告提供用サーバに格納しておけば、各広告提供者自身のホームページに視聴者を呼び込まなくても当該宣伝したい情報を視聴者に伝えることができ、この点からもより効率的且つ効果的な宣伝を行うことができる。また、広告が終わってからゲームが始まるので、視聴者に広告を最後まで視聴させることができる。
【００１６】
また、視聴者は、当該広告提供用サーバにアクセスするだけで、各広告提供者が提供する様々な情報（広告）を入手することができ、効率的に情報を入手することができる。また、視聴者は、広告及びゲームの提供を受けるに当たり、会員登録などをしなくても良いので、気軽に広告及びゲームの提供を受けることができる。
【００１７】
尚、前記広告提供部は、前記広告情報を前記端末装置に送信するに当たり、前記広告情報記憶部に格納された各広告情報の中から前記視聴者が特定の広告情報を選択するための選択情報を該端末装置に送信して画面表示させる処理と、前記端末装置から入力される、選択された広告情報を特定するための情報を受信し、受信情報に対応した広告情報を該端末装置に送信して画面表示させる処理とを行うように構成されていても良い。
【００１８】
このようにすれば、広告情報記憶部に格納された各広告情報の中から視聴者が特定の広告情報を選択するための選択情報が端末装置に画面表示されるので、視聴者は、所望の情報（広告）を容易且つ迅速に入手することができる。
【００１９】
また、前記広告提供部は、前記広告情報を前記端末装置に送信するに当たり、前記端末装置から入力される、前記視聴者のプロフィールに関する情報を受信する処理と、受信したプロフィール情報を基に、該視聴者の関心があると推測される一以上の広告情報を、前記広告情報記憶部に格納された各広告情報の中から抽出し、抽出した広告情報の中から前記視聴者が特定の広告情報を選択するための選択情報を該端末装置に送信して画面表示させる処理と、前記端末装置から入力される、選択された広告情報を特定するための情報を受信し、受信情報に対応した広告情報を該端末装置に送信して画面表示させる処理とを行うように構成されていても良い。
【００２０】
このようにすれば、視聴者が入力したプロフィール情報を基に、当該視聴者の関心があると推測される一以上の広告情報が、広告情報記憶部に格納された各広告情報の中から抽出され、抽出された広告情報の中から当該視聴者が特定の広告情報を選択するための選択情報が端末装置に画面表示されるので、上記と同様、視聴者は、所望の情報（広告）を容易且つ迅速に入手することができる。尚、前記プロフィール情報としては、例えば、視聴者の性別、年令、居住地域、職業などを挙げることができるが、これらに限定されるものではない。
【００２１】
また、前記広告情報記憶部には、前記各広告情報がその広告対象の属するジャンルと関連付けられて格納され、前記広告提供部は、前記広告情報を前記端末装置に送信するに当たり、前記端末装置から入力される、前記視聴者のプロフィールに関する情報を受信する処理と、受信したプロフィール情報を基に、該視聴者の関心があると推測される一以上のジャンルを、前記広告情報記憶部に格納された各ジャンルの中から抽出し、抽出したジャンルの中から前記視聴者が特定のジャンルを選択するための選択情報を該端末装置に送信して画面表示させる処理と、前記端末装置から入力される、選択されたジャンルを特定するための情報を受信し、受信情報に対応したジャンルの広告情報の中から前記視聴者が特定の広告情報を選択するための選択情報を該端末装置に送信して画面表示させる処理と、前記端末装置から入力される、選択された広告情報を特定するための情報を受信し、受信情報に対応した広告情報を該端末装置に送信して画面表示させる処理とを行うように構成されていても良い。
【００２２】
このようにすれば、まず、視聴者が入力したプロフィール情報を基に、当該視聴者の関心があると推測される一以上のジャンルが、広告情報記憶部に格納された各ジャンルの中から抽出され、抽出されたジャンルの中から当該視聴者が特定のジャンルを選択するための選択情報が端末装置に画面表示された後、視聴者が選択したジャンルの中から視聴者が特定の広告情報を選択するための選択情報が端末装置に画面表示されるので、上記と同様、視聴者は、所望の情報（広告）を容易且つ迅速に入手することができる。尚、前記ジャンルとしては、例えば、不動産、仕事（アルバイト）、資格、学校、株、保険、自動車、バイク、旅行、音楽、映画、懸賞、チケット、テレビ番組、アニメ、ファッション、グルメ、占い、化粧品、健康、本、オークション、ショッピングといったものを挙げることができるが、これらに限定されるものではない。
【００２３】
また、前記広告提供部によって前記端末装置に送信される、前記視聴者が特定の広告情報を選択するための選択情報は、前記広告情報の一覧が表示され且つ一覧表示される広告情報の中から前記視聴者が特定の広告情報を選択するための選択画面であって、一覧表示された一部の広告情報が他とは異なる表示形式で表示される選択画面についての情報であっても良い。
【００２４】
このようにすれば、異なる表示形式で表示された一部の広告情報に注目を集めて視聴者に興味を持たせることができるので、視聴者が当該一部の広告情報を選択する確率を高くすることができ、当該一部の広告情報の広告対象をより多くの視聴者に認知させることができる。尚、前記異なる表示形式としては、例えば、点滅させたり、表示色を異ならせたり、表示文字や表示線の太さを異ならせて、当該一部の広告情報に係る表示画像を強調したものを挙げることができるが、これらに限定されるものではない。
【００２５】
また、前記広告情報提供用サーバは、前記広告情報記憶部に格納された各広告情報の前記端末装置への送信履歴に関する情報であって、前記端末装置への送信回数を少なくとも含んだ送信履歴情報を該各広告情報毎に記憶する送信履歴情報記憶部と、前記広告提供部における処理を監視し、該広告提供部によって前記広告情報が前記端末装置に送信されると、送信された広告情報についての送信履歴情報を更新する送信履歴情報管理部とを更に備えて構成されていても良い。
【００２６】
このようにすれば、送信履歴情報記憶部に格納された各広告情報毎の送信履歴情報（送信回数）を基に、広告提供者は、当該広告提供者の提供する広告が視聴者によって視聴された回数（視聴実績）を確認することができ、宣伝効果などを確認することができる。
【００２７】
また、前記広告提供部は、前記広告情報を前記端末装置に送信するに当たり、まず、前記端末装置から入力される、前記視聴者のプロフィールに関する情報を受信した後、前記端末装置からの送信要求を受け付け、送信要求のあった広告情報を該端末装置に送信して画面表示させるように構成され、前記広告情報提供用サーバは、前記広告情報記憶部に格納された各広告情報の前記端末装置への送信履歴に関する情報であって、視聴実績のある視聴者のプロフィール情報を少なくとも含んだ送信履歴情報を該各広告情報毎に記憶する送信履歴情報記憶部と、前記広告提供部における処理を監視し、該広告提供部によって前記広告情報が前記端末装置に送信されると、送信された広告情報についての送信履歴情報を、該広告提供部によって受信されたプロフィール情報を基に更新する送信履歴情報管理部とを更に備えて構成されていても良い。
【００２８】
このようにすれば、送信履歴情報記憶部に格納された各広告情報毎の送信履歴情報（プロフィール情報）を基に、広告提供者は、当該広告提供者の提供する広告がどのような視聴者によって視聴されたか（視聴実績）を確認することができ、宣伝効果などを確認したり、新たな広告の作成に役立てることができる。
【００２９】
また、本発明は、
視聴者側に配設された少なくとも１台の端末装置と電気通信回線を介して接続可能に設けられ、前記端末装置に広告に関する情報を送信して前記視聴者に提供する広告情報提供用のサーバであって、
送信対象となる複数の前記広告情報を記憶した広告情報記憶部と、
前記視聴者毎に設定され、該視聴者の個人情報と該視聴者を識別するための識別情報とを含む登録情報を記憶した登録情報記憶部と、
前記端末装置から入力される前記識別情報を受信して、受信した識別情報を基に該識別情報が前記登録情報記憶部に格納されているか否かを確認し、格納されていると判断した場合には、前記端末装置からの送信要求に応じ、前記広告情報記憶部に格納された各広告情報の内、送信要求のあった広告情報を該端末装置に送信して画面表示させ、広告を前記視聴者に提供する広告提供部と、
ゲームに関するゲーム情報を記憶したゲーム情報記憶部と、
前記広告提供部による広告情報の画面表示終了後、前記ゲーム情報記憶部に格納されたゲーム情報を前記端末装置に送信して画面表示させ、該ゲーム情報に係るゲームを前記視聴者に提供するゲーム提供部と、
前記ゲーム結果が予め定められた結果となった場合に特典を付与すべき対象者に関する特典付与先情報を記憶する特典付与先情報記憶部と、
前記ゲームの結果を認識して予め定められた結果となっているか否かを確認し、予め定められた結果になっていると判断した場合には、前記広告提供部によって受信された識別情報、及び／又は、該識別情報を基に、前記登録情報記憶部に格納された登録情報を参照することで認識される、該識別情報に対応した視聴者の個人情報の一部若しくは全部を、前記特典付与先情報として前記特典付与先情報記憶部に格納するゲーム結果確認部とを備えてなることを特徴とする広告情報提供用サーバに係る。
【００３０】
この広告情報提供用サーバによれば、まず、広告提供部により、端末装置から入力される識別情報が受信されて、受信された識別情報を基に当該識別情報が登録情報記憶部に格納されているか否かが確認され、格納されていると判断された場合には、端末装置からの送信要求が受け付けられて、広告情報記憶部に格納された各広告情報の内、送信要求のあった広告情報が当該端末装置に送信されて画面表示され、広告が視聴者に提供される。尚、前記登録情報記憶部には、例えば、氏名、性別、住所、電話番号、年令、生年月日、職業、メールアドレス、パスワードといった視聴者の個人情報と、視聴者の識別情報とを含んだ登録情報が予め格納されている。
【００３１】
そして、広告提供部による広告情報の画面表示が終了すると、ゲーム提供部により、ゲーム情報記憶部に格納されたゲーム情報が当該端末装置に送信されて画面表示され、当該ゲーム情報に係るゲームが視聴者に提供される。
【００３２】
ゲーム提供部によるゲームの提供が終了すると、ゲーム結果確認部により、ゲーム結果が認識されて所定の結果となったか否かが確認され、所定の結果になったと判断された場合には、広告提供部によって受信された識別情報、及び／又は、当該識別情報を基に、登録情報記憶部に格納された登録情報を参照することで認識される、当該識別情報に対応した視聴者の個人情報の一部若しくは全部が、特典付与先情報として特典付与先情報記憶部に格納される。そして、この特典付与先情報記憶部に特典付与先情報が格納された視聴者には、上記と同様に、視聴した広告の広告提供者などから適宜特典が付与される。
【００３３】
このように、本発明に係る広告情報提供用サーバによっても、より効率的且つ効果的な宣伝を行うことができるなど、上記と同様の効果を得ることができる。
【００３４】
尚、前記広告提供部は、前記広告情報を前記端末装置に送信するに当たり、前記広告情報記憶部に格納された各広告情報の中から前記視聴者が特定の広告情報を選択するための選択情報を該端末装置に送信して画面表示させる処理と、前記端末装置から入力される、選択された広告情報を特定するための情報を受信し、受信情報に対応した広告情報を該端末装置に送信して画面表示させる処理とを行うように構成されていても良く、このようにすれば、視聴者は、上述のように、所望の情報（広告）を容易且つ迅速に入手することができる。
【００３５】
また、前記広告提供部は、前記広告情報を前記端末装置に送信するに当たり、前記受信した識別情報を基に、前記登録情報記憶部に格納された登録情報を参照して、該識別情報に対応した視聴者の個人情報を認識する処理と、認識した個人情報を基に、該視聴者の関心があると推測される一以上の広告情報を、前記広告情報記憶部に格納された各広告情報の中から抽出し、抽出した広告情報の中から前記視聴者が特定の広告情報を選択するための選択情報を該端末装置に送信して画面表示させる処理と、前記端末装置から入力される、選択された広告情報を特定するための情報を受信し、受信情報に対応した広告情報を該端末装置に送信して画面表示させる処理とを行うように構成されていても良く、このようにすれば、視聴者は、上述のように、所望の情報（広告）を容易且つ迅速に入手することができる。
【００３６】
また、前記広告情報提供用サーバは、前記端末装置から送信要求のあった広告情報を特定するための情報を少なくとも含み、前記視聴者の識別情報毎に設定された送信要求履歴情報を記憶する送信要求履歴情報記憶部と、前記広告提供部における処理を監視し、該広告提供部によって前記広告情報の送信要求が受け付けられると、受け付けられた送信要求に係る広告情報及び前記広告提供部によって受信された識別情報を基に、該識別情報についての送信要求履歴情報を更新する送信要求履歴情報管理部とを更に備えて構成され、前記広告提供部は、前記広告情報を前記端末装置に送信するに当たり、前記受信した識別情報を基に、前記送信要求履歴情報記憶部に格納された送信要求履歴情報を参照して、以前に送信要求の対象とされた一以上の広告情報を認識し、認識した広告情報の中から前記視聴者が特定の広告情報を選択するための選択情報を前記端末装置に送信して画面表示させる処理と、前記端末装置から入力される、選択された広告情報を特定するための情報を受信し、受信情報に対応した広告情報を該端末装置に送信して画面表示させる処理とを行うように構成されていても良い。
【００３７】
このようにすれば、受信した識別情報を基に、送信要求履歴情報記憶部に格納された送信要求履歴情報が参照されて、以前に送信要求の対象とされた一以上の広告情報が認識され、認識された広告情報の中から視聴者が特定の広告情報を選択するための選択情報が端末装置に送信されて画面表示されるので、視聴者は、以前に送信要求の対象とした広告情報に容易且つ迅速にアクセスすることができる。
【００３８】
また、前記広告情報記憶部には、前記各広告情報がその広告対象の属するジャンルと関連付けられて格納され、前記広告提供部は、前記広告情報を前記端末装置に送信するに当たり、前記受信した識別情報を基に、前記登録情報記憶部に格納された登録情報を参照して、該識別情報に対応した視聴者の個人情報を認識する処理と、認識した個人情報を基に、該視聴者の関心があると推測される一以上のジャンルを、前記広告情報記憶部に格納された各ジャンルの中から抽出し、抽出したジャンルの中から前記視聴者が特定のジャンルを選択するための選択情報を該端末装置に送信して画面表示させる処理と、前記端末装置から入力される、選択されたジャンルを特定するための情報を受信し、受信情報に対応したジャンルの広告情報の中から前記視聴者が特定の広告情報を選択するための選択情報を該端末装置に送信して画面表示させる処理と、前記端末装置から入力される、選択された広告情報を特定するための情報を受信し、受信情報に対応した広告情報を該端末装置に送信して画面表示させる処理とを行うように構成されていても良く、このようにすれば、視聴者は、上述のように、所望の情報（広告）を容易且つ迅速に入手することができる。
【００３９】
また、前記広告提供部によって前記端末装置に送信される、前記視聴者が特定の広告情報を選択するための選択情報は、前記広告情報の一覧が表示され且つ一覧表示される広告情報の中から前記視聴者が特定の広告情報を選択するための選択画面であって、一覧表示された一部の広告情報が他とは異なる表示形式で表示される選択画面についての情報であっても良く、このようにすれば、上述のように、異なる表示形式で表示された一部の広告情報の広告対象をより多くの視聴者に認知させることができる。
【００４０】
また、前記広告情報提供用サーバは、前記広告情報記憶部に格納された各広告情報の前記端末装置への送信履歴に関する情報であって、前記端末装置への送信回数を少なくとも含んだ送信履歴情報を該各広告情報毎に記憶する送信履歴情報記憶部と、前記広告提供部における処理を監視し、該広告提供部によって前記広告情報が前記端末装置に送信されると、送信された広告情報についての送信履歴情報を更新する送信履歴情報管理部とを更に備えて構成されていても良く、このようにすれば、広告提供者は、上述のように、広告が視聴者によって視聴された回数（視聴実績）を確認することができ、宣伝効果などを確認することができる。
【００４１】
また、前記広告情報提供用サーバは、前記広告情報記憶部に格納された各広告情報の前記端末装置への送信履歴に関する情報であって、視聴実績のある視聴者の個人情報の一部若しくは全部を少なくとも含んだ送信履歴情報を該各広告情報毎に記憶する送信履歴情報記憶部と、前記広告提供部における処理を監視し、該広告提供部によって前記広告情報が前記端末装置に送信されると、前記広告提供部によって受信された識別情報を基に、前記登録情報記憶部に格納された登録情報を参照して、該識別情報に対応した視聴者の個人情報を認識し、認識した個人情報を基に、前記送信された広告情報についての送信履歴情報を更新する送信履歴情報管理部とを更に備えて構成されていても良く、このようにすれば、広告提供者は、上述のように、広告がどのような視聴者によって視聴されたか（視聴実績）を確認することができ、宣伝効果などを確認したり、新たな広告の作成時に役立てることができる。
【００４２】
また、前記各広告情報提供用サーバにおいて、前記ゲーム情報記憶部には、複数の前記ゲーム情報が格納され、前記ゲーム提供部は、前記ゲーム情報記憶部に格納された各ゲーム情報の内のいずれか一つを前記端末装置に送信して画面表示させるように構成されていても良い。
【００４３】
このようにすれば、視聴者にいろいろなゲームを楽しませて視聴者がゲームに飽きるのを防止することができるので、当該広告情報提供用サーバにアクセスして広告の提供を受ける視聴者の数を多くすることができる。
【００４４】
また、前記各広告情報提供用サーバにおいて、前記ゲーム情報記憶部には、複数の前記ゲーム情報が、前記広告情報記憶部に格納された各広告情報とそれぞれ関連付けられて格納され、前記ゲーム提供部は、前記ゲーム情報記憶部に格納された各ゲーム情報の内、前記広告提供部によって前記端末装置に送信された広告情報に対応するゲーム情報を前記端末装置に送信して画面表示させるように構成されていても良い。
【００４５】
このようにすれば、視聴者は、各種ゲームを目的としていろいろな広告を視聴するので、より効率的な宣伝を行うことができる。また、視聴者にいろいろなゲームを楽しませて視聴者がゲームに飽きるのを防止することもできるので、当該広告情報提供用サーバから広告の提供を受ける視聴者の数を多くすることもできる。
【００４６】
また、前記各広告情報提供用サーバにおいて、前記特典付与先情報記憶部には、前記特典付与先情報が、前記広告情報記憶部に格納された広告情報と関連付けられて格納され、前記ゲーム結果確認部は、前記特典付与先情報を前記特典付与先情報記憶部に格納するに当たり、前記広告提供部によって前記端末装置に送信された広告情報と、前記特典付与先情報とを関連付けて前記特典付与先情報記憶部に格納するように構成されていても良い。
【００４７】
このようにすれば、特典を付与すべき対象者（視聴者）がどの広告を視聴したかについて管理することができるので、広告提供者の特典付与対象者管理を便利にすることができる。
【００４８】
また、本発明は、上記広告情報提供用サーバと前記端末装置とが電気通信回線を介し接続されて構成された広告情報提供システムに係り、この広告情報提供システムによれば、より効率的且つ効果的な宣伝を行うことができる。
【発明の効果】
【００４９】
以上のように、本発明に係る広告情報提供用サーバ及び広告情報提供システムによれば、視聴者に広告を提供した後、特典を付けてゲームを提供するように構成したので、広告対象に関心のある視聴者だけでなく、関心があまりなくても特典を目当てにした視聴者に対し広告を提供して、より幅広い視聴者に広告対象を認知させたり、視聴者に広告を最後まで視聴させることができ、より効率的且つ効果的な宣伝を行うことができる。
【００５０】
また、広告提供者は、自身のホームページに視聴者を呼び込まなくても宣伝したい情報を視聴者に伝えることができ、この点からもより効率的且つ効果的な宣伝を行うことができる。また、視聴者は、いろいろなホームページにアクセスしなくても、当該広告提供用サーバにアクセスするだけで良く、効率的である。
【発明を実施するための最良の形態】
【００５１】
以下、本発明の具体的な実施形態について、添付図面に基づき説明する。尚、図１は、本発明の一実施形態に係る広告情報提供システムの概略構成を示したブロック図である。
【００５２】
図１に示すように、本例の広告情報提供システム１は、広告を提供する広告情報提供用サーバ２と、前記広告を視聴する視聴者側に配設された複数の視聴者側端末装置３とが、インターネット５を介し相互に接続されて構成されており、広告情報提供用サーバ２は、ＷＷＷサーバなどのインターネットサーバやＣＧＩスクリプトなどを備えたサーバとして機能し、視聴者側端末装置３は、それぞれブラウザを備えたクライアントとして機能する。
【００５３】
前記広告情報提供用サーバ２は、ＣＰＵ，ＲＯＭ，ＲＡＭ，ハードディスクなどを備えたコンピュータからなり、Ｗｅｂページ処理部１１，会員登録処理部１２，会員登録情報記憶部１３，広告情報記憶部１４，ゲーム情報記憶部１５，送信要求履歴情報記憶部１６，送信履歴情報記憶部１７，特典付与先情報記憶部１８，広告提供部１９，ゲーム提供部２０，送信要求履歴情報管理部２１，送信履歴情報管理部２２，ゲーム結果確認部２３及び通信インターフェース２４などを備え、通信インターフェース２４を介してインターネット５に接続している。
【００５４】
前記Ｗｅｂページ処理部１１は、広告の提供依頼（広告情報の送信要求）や会員登録依頼などを受け付けるためのホームページをインターネット５上で公開する処理を行い、このホームページを介して、広告提供依頼の受付処理や会員登録依頼の受付処理などがなされる。
【００５５】
前記会員登録処理部１２は、視聴者側端末装置３から入力された情報を基にシステム利用者の登録（会員登録）をする処理を行う。具体的には、例えば、ホームページを介して入力された視聴者の個人情報（氏名、性別、住所、電話番号、年令、生年月日、職業、メールアドレス、パスワードなど）を受け付けると、当該視聴者に対して会員番号（視聴者の識別情報）を設定し、設定した会員番号を端末装置３に送信してそのディスプレイ上に表示させるとともに、受け付けた個人情報と設定した会員番号とを会員登録情報として前記会員登録情報記憶部１３に格納する（図２参照）。
【００５６】
前記広告情報記憶部１４には、例えば、広告を提供する提供者自身、広告提供者が取り扱う商品やサービスなどを広告対象とした広告に関する情報であって、視聴者側端末装置３に送信される複数の広告情報が予め格納される。尚、当該広告情報は、動画に係る情報から構成されていても、静止画に係る情報から構成されていても、いずれでも良い。また、広告情報には、ゲームが所定の結果になった場合に付与される特典についての情報も含まれている。
【００５７】
前記ゲーム情報記憶部１５には、例えば、絵柄を揃える、スロットマシンに類似したゲームなどに関する情報が予め格納される。尚、当該ゲーム情報記憶部１５には、この他、例えば、球がどの目に止まるかを当てる、ルーレットに類似したゲームに関する情報を格納するようにしても良く、ゲームの種類は、これらに限定されるものではない。また、ゲームが所定の結果になった場合とは、スロットマシンに類似したゲームは、絵柄が揃ったときのことであり、ルーレットに類似したゲームは、球が止まる目を当てたときや球が所定の目に止まったときのことである。
【００５８】
前記送信要求履歴情報記憶部１６には、視聴者側端末装置３から送信要求のあった広告情報を特定するための情報を含み、視聴者の会員番号毎に設定された送信要求履歴情報が、例えば、図３に示すようなデータテーブルとして格納される。同図３に示した送信要求履歴１〜送信要求履歴５の欄には、広告情報を特定するための情報が送信要求の受け付け順に格納されるようになっており、送信要求履歴１のところに一番新しい送信要求に係る広告情報を特定するための情報が、送信要求履歴５のところに５番目に新しい送信要求に係る広告情報を特定するための情報が記憶される。
【００５９】
前記送信履歴情報記憶部１７には、広告情報記憶部１４に格納された各広告情報の視聴者側端末装置３への送信履歴に関する情報であって、視聴実績のある視聴者のプロフィールに関する情報（性別、年令、居住地域など）と、端末装置３への送信回数（合計送信回数）とを含んだ送信履歴情報が、各広告情報毎に、例えば、図４に示すようなデータテーブルとして格納される。尚、同図４に示すように、この送信履歴情報は、これが更新される度に、それぞれ該当する項目欄の人数や回数が加算されていくようになっている。
【００６０】
前記特典付与先情報記憶部１８には、ゲーム結果が予め定められた結果となった場合（絵柄が揃った場合）に特典を付与すべき対象者に関する特典付与先情報（前記対象者たる視聴者の会員番号、氏名、住所、電話番号など）が、例えば、図５に示すようなデータテーブルとして各広告情報毎に格納される。尚、前記特典は、例えば、各種の商品やサービスなどとすることができ、特に限定されるものではない。
【００６１】
前記広告提供部１９は、視聴者側端末装置３からの送信要求に応じ、広告情報記憶部１４に格納された各広告情報の内、送信要求のあった広告情報を当該端末装置３に送信してそのディスプレイ上に画面表示させ、広告を視聴者に提供する処理を行う。
【００６２】
具体的には、広告提供部１９は、図６及び図７に示すような一連の処理を実行する。即ち、例えば、ホームページを介して端末装置３から広告情報の送信要求を受け付けると、一連の処理を開始し、まず、図８に示すような、視聴者が会員，非会員のどちらであるかを入力するための入力画面に係る画像情報を端末装置３に送信して画面表示させる（ステップＳ１）。
【００６３】
この後、端末装置３から入力される、会員又は非会員を示す信号を受信し（ステップＳ２）、どちらの信号を受信したかを判断する（ステップＳ３）。会員を示す信号を受信したと判断した場合には、図９に示すような、視聴者が会員番号及びパスワードを入力するための入力画面に係る画像情報を端末装置３に送信して画面表示させ（ステップＳ４）、端末装置３から入力される、会員番号及びパスワードを受信する（ステップＳ５）。
【００６４】
次に、受信した会員番号及びパスワードを基に、当該会員番号及びパスワードが会員登録情報記憶部１３に格納されているか否かを確認して（ステップＳ６）、格納されていないと判断した場合には、処理を終了し、格納されていると判断した場合には、受信した会員番号及びパスワードを基に会員（視聴者）の個人情報を認識して、認識した個人情報を基に、視聴者の関心があると推測される一以上の広告情報を、広告情報記憶部１４に格納された各広告情報の中から抽出する（ステップＳ７）。
【００６５】
この後、ステップＳ６で受信した会員番号を基に送信要求履歴情報記憶部１６に格納された送信要求履歴情報を参照して、以前に送信要求の対象とされた広告情報を認識し（ステップＳ８）、ステップＳ７で抽出した広告情報及びステップＳ８で認識した広告情報の一覧が表示され且つ一覧表示された広告情報の中から視聴者が特定の広告情報を選択するための、図１０に示すような選択画面に係る画像情報を端末装置３に送信して画面表示させ（ステップＳ９）、ステップＳ１３に進む。尚、図１０に示した選択画面において、符号Ａで示した部分がステップＳ７で抽出した広告情報であり、符号Ｂで示した部分がステップＳ８で認識した広告情報である。
【００６６】
一方、ステップＳ３で非会員を示す信号を受信したと判断した場合には、視聴者が性別，年令及び居住地域といった視聴者のプロフィールに関する情報を入力するための、図１１に示すような入力画面に係る画像情報を端末装置３に送信して画面表示させ（ステップＳ１０）、端末装置３から入力される、プロフィール情報を受信する（ステップＳ１１）。尚、本例では、プロフィール情報を視聴者の性別，年令及び居住地域としているが、これに限定されるものではない。
【００６７】
この後、受信したプロフィール情報を基に、視聴者の関心があると推測される一以上の広告情報を、広告情報記憶部１４に格納された各広告情報の中から抽出し、抽出した広告情報の一覧が表示され且つ一覧表示された広告情報の中から視聴者が特定の広告情報を選択するための、図１０と同じ様な選択画面に係る画像情報を端末装置３に送信して画面表示させる（ステップＳ１２）。
【００６８】
そして、ステップＳ１３では、端末装置３から入力される、選択された広告情報を特定するための信号を受信し、ステップＳ１４では、受信した信号に対応する広告情報を端末装置３に送信して画面表示させる。尚、このとき、端末装置３では、例えば、まず、広告に関する画像が表示された後、特典に関する画像が表示される。
【００６９】
前記ゲーム提供部２０は、広告提供部１９による広告情報の画面表示終了後、ゲーム情報記憶部１５に格納されたゲーム情報を視聴者側端末装置３に送信してそのディスプレイ上に画面表示させ、当該ゲーム情報に係るゲームを視聴者に提供する処理を行う。
【００７０】
具体的には、ゲーム提供部２０は、図１２に示すようなゲーム画面を端末装置３に表示し、絵柄を揃える、スロットマシンに類似したゲームを提供する。尚、本例では、当該ゲーム提供部２０側で自動的に絵柄を揃えるように構成しているが、当該ゲーム提供部２０が、端末装置３から入力される、絵柄を揃えるための信号を受け付けるように構成して視聴者自身に絵柄を揃えさせるようにしても良い。また、このゲーム提供部２０によって端末装置３に表示される表示画面には、同図１２に示すように、当該ゲームの提供を受けた人数と当該ゲームの勝者数（絵柄が揃った人の数）なども表示されるようになっており、これらに関する情報は、図示しない適宜記憶部に格納されている。
【００７１】
前記送信要求履歴情報管理部２１は、広告提供部１９における処理を監視し、当該広告提供部１９によって広告情報の送信要求が受け付けられると、送信要求履歴情報記憶部１６に格納された送信要求履歴情報を更新する処理を行う。
【００７２】
具体的には、送信要求履歴情報管理部２１は、広告情報を視聴する視聴者が会員である場合に、受け付けられた送信要求に係る広告情報（広告提供部１９により前記ステップＳ１３で端末装置３から受信された、選択された広告情報を特定するための信号や、広告提供部１９により前記ステップＳ１４で端末装置３に送信された広告情報）及び広告提供部１９によって受信された会員番号を基に、当該会員番号についての送信要求履歴情報を更新する。
【００７３】
前記送信履歴情報管理部２２は、広告提供部１９における処理を監視し、当該広告提供部１９によって広告情報が視聴者側端末装置３に送信されると、送信履歴情報記憶部１７に格納された送信履歴情報を更新する処理を行う。
【００７４】
具体的には、送信履歴情報管理部２２は、広告情報を視聴する視聴者が会員である場合には、広告提供部１９により前記ステップＳ５で受信された会員番号を基に、登録情報記憶部１３に格納された会員登録情報を参照して、当該会員番号に対応した会員の個人情報を認識し、この後、認識した個人情報を基に、性別，年令及び居住地域といった会員のプロフィール情報を抽出して、抽出したプロフィール情報を基に、前記送信された広告情報についての送信履歴情報を更新する。
【００７５】
一方、広告情報を視聴する視聴者が非会員である場合には、広告提供部１９により前記ステップＳ１１で受信されたプロフィール情報を基に、前記送信された広告情報についての送信履歴情報を更新する。
【００７６】
前記ゲーム結果確認部２３は、ゲーム提供部２０によって提供されたゲームの結果が所定の結果となった場合に、特典付与先情報を特典付与先情報記憶部１８に格納する処理を行う。
【００７７】
具体的には、ゲーム結果確認部２３は、図１３に示すような一連の処理を実行する。即ち、ゲーム提供部２０からゲームの提供が終了した旨の信号を受信して一連の処理を開始し、まず、ゲーム結果を認識して（ステップＳ２１）、所定の結果になった（絵柄が揃った）か否かを判断する（ステップＳ２２）。所定の結果にならなかったと判断した場合には、処理を終了し、所定の結果になったと判断した場合には、広告提供部１９により前記ステップＳ１４で端末装置３に送信された広告情報を認識する（ステップＳ２３）。
【００７８】
次に、ステップＳ２４では、ゲームの提供を受けた視聴者が会員であるか否かを確認する。視聴者が会員であるか否かは、例えば、広告提供部１９が前記ステップＳ２で会員を示す信号を受信したか否かや、前記ステップＳ５で会員番号を受信したか否かなどにより確認することができる。
【００７９】
そして、ステップＳ２４で会員であると判断した場合には、広告提供部１９により前記ステップＳ５で受信された会員番号を基に、登録情報記憶部１３に格納された会員登録情報を参照して、当該会員番号に対応した会員の個人情報を認識し、この後、認識した個人情報の内、必要な項目（氏名，住所及び電話番号）及び前記受信された会員番号を特典付与先情報としてステップＳ２３で認識した広告情報と関連付けて特典付与先情報記憶部１８に格納する（ステップＳ２５）。
【００８０】
一方、ステップＳ２４で非会員であると判断した場合には、視聴者が氏名，住所及び電話番号といった特典付与先情報を入力するための入力画面に係る画像情報を端末装置３に送信して画面表示させるとともに（ステップＳ２６）、端末装置３から入力される特典付与先情報を受信し、ステップＳ２３で認識した広告情報と関連付けて特典付与先情報記憶部１８に格納する（ステップＳ２７）。
【００８１】
また、このゲーム結果確認部２３は、ゲーム結果を確認すると、ゲーム画面に表示するための、ゲームの提供を受けた人数とゲームの勝者数などに関する情報を、前記図示しない適宜記憶部に格納するようになっている。
【００８２】
以上のように構成された本例の広告情報提供システム１によれば、まず、広告提供部１９によって、視聴者が会員である場合には、会員の個人情報を基に、視聴者の関心があると推測される広告情報が抽出されるとともに、送信要求履歴情報が参照されて以前に送信要求の対象とされた広告情報が認識され、この後、抽出された広告情報及び認識された広告情報の中から視聴者が特定の広告情報を選択するための選択画面が端末装置３上に画面表示される。
【００８３】
一方、視聴者が非会員である場合には、端末装置３から入力された視聴者のプロフィール情報を基に、視聴者の関心があると推測される広告情報が抽出されて、抽出された広告情報の中から視聴者が特定の広告情報を選択するための選択画面が端末装置３上に画面表示される。
【００８４】
そして、この表示画面を見た視聴者によって入力される、選択された広告情報を特定するための信号が受信されると、受信された信号に対応する広告情報が端末装置３に送信されて画面表示される。
【００８５】
この後、広告情報（広告画像及び特典画像）の画面表示が終了すると、ゲーム提供部２０によってゲーム情報が端末装置３に送信されて画面表示される。ゲーム情報の画面表示が終了すると、ゲーム結果確認部２３によって、ゲーム結果が確認され、所定の結果になったときには、視聴者が会員である場合は、会員の個人情報を基に、特典付与先情報が特典付与先情報記憶部１８に格納される一方、視聴者が非会員である場合は、端末装置３から入力された特典付与先情報が特典付与先情報記憶部１８に格納される。そして、この特典付与先情報記憶部１８に特典付与先情報が格納された視聴者には、視聴した広告の広告提供者などから適宜特典が付与される。
【００８６】
尚、広告提供部１９における処理は、送信要求履歴情報管理部２１及び送信履歴情報管理部２２によって監視されている。広告情報の送信要求が受け付けられると、視聴者が会員である場合には、送信要求履歴情報管理部２１によって送信要求履歴情報が更新される。また、広告情報が端末装置３に送信されると、送信履歴情報管理部２２によって送信履歴情報が更新される。
【００８７】
斯くして、本例の広告情報提供システム１によれば、広告情報提供用サーバ２を、視聴者に広告を提供した後、特典を付けてゲームを提供するように構成しており、広告提供者自身、広告提供者の商品やサービスといった広告対象に関心のある視聴者はもちろんのこと、関心のない視聴者であっても、特典を目当てにした視聴者に対して広告を提供することができるので、より幅広い視聴者に対して前記広告対象を認知させることができ、より効率的且つ効果的な宣伝を行うことができる。
【００８８】
また、各広告提供者は、視聴者に対して宣伝したい情報を広告情報として当該広告提供用サーバ２に格納しておけば、各広告提供者自身のホームページに視聴者を呼び込まなくても当該宣伝したい情報を視聴者に伝えることができ、この点からもより効率的且つ効果的な宣伝を行うことができる。また、広告が終わってからゲームが始まるので、視聴者に広告を最後まで視聴させることができる。
【００８９】
また、視聴者は、当該広告提供用サーバ２にアクセスするだけで、各広告提供者が提供する様々な情報（広告）を入手することができ、効率的に情報を入手することができる。また、視聴者は、広告及びゲームの提供を受けるに当たり、必ずしも会員登録をしなくて良いので、気軽に広告及びゲームの提供を受けることができる。
【００９０】
また、広告提供部１９が、視聴者が入力したプロフィール情報や視聴者の会員登録情報を基に、当該視聴者の関心があると推測される一以上の広告情報を抽出して、抽出した広告情報の中から視聴者が特定の広告情報を選択するための選択画面に係る画像情報を端末装置３に送信して画面表示させたり、送信要求履歴情報を参照して、以前に送信要求の対象とされた一以上の広告情報を認識し、認識した広告情報の中から視聴者が特定の広告情報を選択するための選択画面に係る画像情報を端末装置３に送信して画面表示させるようにしたので、視聴者は、所望の情報（広告）を容易且つ迅速に入手することができる。
【００９１】
また、送信履歴情報記憶部１７に、視聴実績のある視聴者のプロフィール情報と、端末装置３への送信回数とを含んだ送信履歴情報を格納するとともに、これを送信履歴情報管理部２２によって管理するようにしたので、広告提供者は、適宜端末装置（図示せず）から当該広告情報提供用サーバ２にアクセスして、送信履歴情報記憶部１７に格納された送信履歴情報を確認することで、当該広告提供者の提供する広告が視聴者によって視聴された回数や、どのような視聴者によって視聴されたかといった視聴実績を確認することができ、宣伝効果などを確認したり、新たな広告の作成に役立てることができる。
【００９２】
また、特典付与先情報記憶部１８に特典付与先情報を各広告情報毎に格納したので、特典を付与すべき対象者（視聴者）がどの広告を視聴したかについて管理することができ、広告提供者の特典付与対象者管理を便利にすることができる。
【００９３】
以上、本発明の一実施形態について説明したが、本発明の採り得る具体的な態様は、何らこれに限定されるものではない。
【００９４】
上例では、広告提供部１９を、これが、広告情報記憶部１４に格納された各広告情報の中から、視聴者の関心があると推測される一以上の広告情報を抽出して、抽出した広告情報の一覧が表示され且つ一覧表示された広告情報の中から視聴者が特定の広告情報を選択するための選択画面を端末装置３上に画面表示させるように構成したが、これに限られるものではなく、このような抽出処理を省略し、広告情報記憶部１４に格納されたすべての広告情報の一覧が表示され且つ一覧表示された広告情報の中から視聴者が特定の広告情報を選択するための選択画面を端末装置３上に画面表示させるように構成しても良い。
【００９５】
また、広告提供部１９は、端末装置３上に画面表示させる、広告情報の一覧が表示され且つ一覧表示された広告情報の中から視聴者が特定の広告情報を選択するための選択画面において、図１４に示すように、特典に関する情報も併せて表示させたり、一覧表示された一部の広告情報（符号Ｃ参照）を点滅させるように構成されていても良い。尚、点滅ではなく、例えば、表示色を異ならせたり、表示文字や表示線の太さを異ならせて、他とは異なる表示形式で表示するようにしても、当該一部の広告情報に係る表示画像を強調することができる。
【００９６】
このようにすれば、特典の内容や広告情報の表示形式により一部の広告情報に注目を集めて視聴者に興味を持たせることができるので、視聴者が当該一部の広告情報を選択する確率を高くすることができ、当該一部の広告情報の広告対象をより多くの視聴者に認知させることができる。
【００９７】
また、広告提供部１９によって端末装置３上に画面表示される、広告情報の一覧が表示され且つ一覧表示された広告情報の中から視聴者が特定の広告情報を選択するための選択画像は、図１５に示すように、一覧表示された画像が端末装置３からの入力信号により矢示方向に回転するように構成されていても、ルーレットのように自動的に回転するように構成されていても良い。この場合、視聴者が所望の広告情報を所定の選択位置（符号Ｄ参照）まで移動させたり、視聴者が回転を止めるための停止信号を入力することで、一覧表示された広告情報の中から特定の広告情報が選択される。
【００９８】
また、各広告情報を、その広告対象の属するジャンルと関連付けて広告情報記憶部１４に格納し、広告提供部１９を、これが、広告情報を端末装置３に送信するに当たり、受信した会員番号を基に認識される会員の個人情報や、受信したプロフィール情報を基に、視聴者の関心があると推測される一以上のジャンルを、広告情報記憶部１４に格納された各ジャンルの中から抽出し、抽出したジャンルの一覧が表示され且つ一覧表示されたジャンルの中から視聴者が特定のジャンルを選択するための、図１６に示すような選択画面に係る画像情報を端末装置３に送信して画面表示させる処理と、端末装置３から入力される、選択されたジャンルを特定するための情報を受信し、受信情報に対応したジャンルに属する広告情報の一覧が表示され且つ一覧表示された広告情報の中から視聴者が特定の広告情報を選択するための、図１７に示すような選択画面に係る画像情報を端末装置３に送信して画面表示させる処理と、端末装置３から入力される、選択された広告情報を特定するための情報を受信し、受信情報に対応した広告情報を端末装置３に送信して画面表示させる処理とを行うように構成しても良い。このようにしても、視聴者は、上記と同様、所望の情報（広告）を容易且つ迅速に入手することができる。尚、この場合においても、上記と同様に、一以上のジャンルを抽出することなく、広告情報記憶部１４に格納されたすべてのジャンルの一覧が表示され且つ一覧表示されたジャンルの中から視聴者が特定のジャンルを選択するための選択画面に係る画像情報を端末装置３上に画面表示させるようにしても良い。また、前記ジャンルは、大分類、中分類、小分類といったように細分化して設定することもできる。
【００９９】
尚、図１６では、ジャンルの一例として、不動産、仕事・アルバイト、資格・学校、株・保険、自動車・バイク、旅行、音楽・映画、懸賞・チケット、テレビ番組、ファッション、グルメ、占い、化粧品・健康を挙げており、図１７は、図１６の選択画面において、自動車・バイクのジャンルが選択されたときの、広告情報の選択画面を示している。
【０１００】
また、ゲーム情報記憶部１５に複数のゲーム情報を格納し、ゲーム提供部２０を、ゲーム情報記憶部１５に格納された各ゲーム情報の内のいずれか一つを端末装置３に送信して画面表示させるように構成しても良い。このようにすれば、視聴者にいろいろなゲームを楽しませて視聴者がゲームに飽きるのを防止することができるので、当該広告情報提供用サーバ２にアクセスして広告の提供を受ける視聴者の数を多くすることができる。
【０１０１】
また、複数のゲーム情報を、広告情報記憶部１４に格納された各広告情報とそれぞれ関連付けてゲーム情報記憶部１５に格納し、ゲーム提供部２０を、ゲーム情報記憶部１５に格納された各ゲーム情報の内、広告提供部１９によって端末装置３に送信された広告情報に対応するゲーム情報を当該端末装置３に送信して画面表示させるように構成しても良い。尚、ゲーム情報と広告情報とは、図１８に示すように、一対一で対応させても、図１９に示すように、一つのゲーム情報に複数の広告情報を対応させるようにしても、どちらでも良い。
【０１０２】
このようにすれば、視聴者は、各種ゲームを目的としていろいろな広告を視聴するので、より効率的な宣伝を行うことができる。また、視聴者にいろいろなゲームを楽しませて視聴者がゲームに飽きるのを防止することもできるので、当該広告情報提供用サーバ２から広告の提供を受ける視聴者の数を多くすることもできる。
【０１０３】
また、上例では、広告情報に特典に関する情報を含ませたが、これに限られるものではなく、ゲーム情報に特典に関する情報を含ませ、ゲームが開始される前に特典に関する画像が端末装置３上に画面表示されるようにしても良い。また、広告情報及びゲーム情報は、画像情報だけでなく、音声情報も含み、視聴者側端末装置３のスピーカから当該音声情報が出力されるようにしても良い。
【０１０４】
また、前記個人情報，プロフィール情報及びジャンルの各内容は、一例を示したものであり、上述のものに限定されるものではない。また、前記特典付与先情報は、会員番号，氏名，住所及び電話番号から構成したが、会員番号を省略して氏名，住所及び電話番号から構成しても良く、また、視聴者が会員に限定されている場合には、氏名，住所及び電話番号を省略して会員番号のみから構成しても良い。また、視聴者の識別情報は、会員番号に限定されるものではなく、メールアドレスを当該識別情報とすることもできる。
【０１０５】
また、上例では、ゲームの実行中、ゲームの提供を受けた人数とゲームの勝者数なども端末装置３に画面表示されるように構成したが、これに代えて又はこれに加えて、前記ゲーム提供部２０が、当該ゲームで勝つ（絵柄が揃う）確率を画面表示するように構成することもできる。このようにすれば、特典をもらえるという期待感を視聴者に持たせることができる。尚、この勝つ確率は適宜設定されるものであるが、例えば、広告提供者が適宜端末装置（図示せず）を用いて当該広告情報提供用サーバ２にアクセスすることによって変更可能に構成したり、所定期間ゲームの勝者が出なかった場合には、勝つ確率が上昇する（例えば倍になる）ように構成しても良い。
【０１０６】
また、広告情報記憶部１４に格納された広告情報は、広告提供者が適宜端末装置（図示せず）を用いて当該広告情報提供用サーバ２にアクセスすることにより更新可能に構成しても良く、この場合、広告情報の更新時に課金処理を行うように構成することもできる。
【０１０７】
また、視聴者側端末装置３において、広告情報提供用サーバ２への広告情報の送信要求処理（例えば、視聴者によって選択されたジャンルを特定するための信号を広告情報提供用サーバ２に送信する処理や、視聴者によって選択された広告情報を特定するための信号を広告情報提供用サーバ２に送信する処理）に係るログ情報を生成，記憶させ、広告提供部１９に広告情報の送信要求を行う際に、記憶されたログ情報の解析により選択回数の多いジャンルや選択回数の多い広告情報が属するジャンルを抽出して、抽出したジャンル中から視聴者に特定のジャンルを選択させるための選択画面が当該端末装置３に画面表示されるように広告提供部１９に対して広告情報の送信要求を行うように構成しても良い。この場合、広告提供部１９は、端末装置３から広告情報の送信要求を受け付けると、当該端末装置３によって抽出されたジャンル中から視聴者が特定のジャンルを選択するための選択画面を送信，表示させる。
【０１０８】
また、広告情報提供用サーバ２において、視聴者側端末装置３への広告情報の送信処理（例えば、視聴者によって選択されたジャンルを特定するための信号を端末装置３から受け付ける処理や、視聴者によって選択された広告情報を特定するための信号を端末装置３から受け付ける処理）に係るログ情報を、会員登録されている視聴者毎に生成，記憶させ、広告提供部１９が、会員登録されている視聴者により端末装置３から行われる広告情報の送信要求に応じてジャンル選択画面を送信，表示させる際に、記憶されたログ情報の解析により選択回数の多いジャンルや選択回数の多い広告情報が属するジャンルを抽出して、抽出したジャンル中から視聴者が特定のジャンルを選択するための選択画面を端末装置３に画面表示させるように構成しても良い。
【０１０９】
また、視聴者側端末装置３は、パソコンなどの他、双方向の通信が可能なテレビから構成されていていても良い。このようにすれば、視聴者はより手軽に広告情報を視聴することができる。また、高齢者や子供なども視聴者対象とすることができる。尚、広告情報提供用サーバ２へは、例えば、リモコンのボタン操作によりアクセス可能に構成することができ、また、テレビの画面は、テレビ放送に係る画像の表示部と広告情報やゲーム情報に係る画像の表示部とに分割可能に構成すると良い。また、会員登録されている視聴者であるか否かの確認は、例えば、指紋認証などにより行うことができ、指紋は、リモコンに設けられたセンサで読み取らせることができる。
【０１１０】
また、前記広告提供部１９は、前記ゲーム提供部２０によるゲームの提供が終了すると、広告提供前の広告選択画面やジャンル選択画面に戻るように、当該広告選択画面やジャンル選択画面を視聴者側端末装置３に送信して表示させるように構成されていても良い。また、広告選択画面やジャンル選択画面などから広告提供者のサイトに移れるように適宜リンク機能を設定しても良い。
【図面の簡単な説明】
【０１１１】
【図１】本発明の一実施形態に係る広告情報提供システムの概略構成を示したブロック図である
【図２】本実施形態に係る会員登録情報記憶部に格納された会員登録情報を示すデータテーブルである。
【図３】本実施形態に係る送信要求履歴情報記憶部に格納された送信要求履歴情報を示すデータテーブルである。
【図４】本実施形態に係る送信履歴情報記憶部に格納された送信履歴情報を示すデータテーブルである。
【図５】本実施形態に係る特典付与先情報記憶部に格納された特典付与先情報を示すデータテーブルである。
【図６】本実施形態に係る広告提供部における一連の処理を示したフローチャートである。
【図７】本実施形態に係る広告提供部における一連の処理を示したフローチャートである。
【図８】本実施形態に係る広告提供部によって視聴者側端末装置に画面表示される表示画面の一例を示した説明図である。
【図９】本実施形態に係る広告提供部によって視聴者側端末装置に画面表示される表示画面の一例を示した説明図である。
【図１０】本実施形態に係る広告提供部によって視聴者側端末装置に画面表示される表示画面の一例を示した説明図である。
【図１１】本実施形態に係る広告提供部によって視聴者側端末装置に画面表示される表示画面の一例を示した説明図である。
【図１２】本実施形態に係るゲーム提供部によって視聴者側端末装置に画面表示されるゲーム画面の一例を示した説明図である。
【図１３】本実施形態に係るゲーム結果確認部における一連の処理を示したフローチャートである。
【図１４】本発明の他の実施形態に係る広告提供部によって視聴者側端末装置に画面表示される表示画面を示した説明図である。
【図１５】本発明の他の実施形態に係る広告提供部によって視聴者側端末装置に画面表示される表示画面を示した説明図である。
【図１６】本発明の他の実施形態に係る広告提供部によって視聴者側端末装置に画面表示される表示画面を示した説明図である。
【図１７】本発明の他の実施形態に係る広告提供部によって視聴者側端末装置に画面表示される表示画面を示した説明図である。
【図１８】本発明の他の実施形態に係るゲーム情報記憶部に格納されたゲーム情報を示すデータテーブルである。
【図１９】本発明の他の実施形態に係るゲーム情報記憶部に格納されたゲーム情報を示すデータテーブルである。
【符号の説明】
【０１１２】
１    広告情報提供システム
２    広告情報提供用サーバ
３    視聴者側端末装置
５    インターネット
１１  Ｗｅｂページ処理部
１２  会員登録処理部
１３  会員登録情報記憶部
１４  広告情報記憶部
１５  ゲーム情報記憶部
１６  送信要求履歴情報記憶部
１７  送信履歴情報記憶部
１８  特典付与先情報記憶部
１９  広告提供部
２０  ゲーム提供部
２１  送信要求履歴情報管理部
２２  送信履歴情報管理部
２３  ゲーム結果確認部
【図１】
2007305020.tif 000003
【図２】
2007305020.tif 000004
【図３】
2007305020.tif 000005
【図４】
2007305020.tif 000006
【図５】
2007305020.tif 000007
【図６】
2007305020.tif 000008
【図７】
2007305020.tif 000009
【図８】
2007305020.tif 000010
【図９】
2007305020.tif 000011
【図１０】
2007305020.tif 000012
【図１１】
2007305020.tif 000013
【図１２】
2007305020.tif 000014
【図１３】
2007305020.tif 000015
【図１４】
2007305020.tif 000016
【図１５】
2007305020.tif 000017
【図１６】
2007305020.tif 000018
【図１７】
2007305020.tif 000019
【図１８】
2007305020.tif 000020
【図１９】
2007305020.tif 000021